(57)【要約】【課題】  小さくても、飾ったときに、動きや様々な表情を見せるようになって、十分に魅力を発揮できる玩具を提供することである。【解決手段】  人型または動物型の本体Ａを備え、本体Ａには、細棒５の一端側が着脱可能に挿入されて当該細棒５を保持する保持穴４を備え、細棒５に取り付けた状態で本体Ａを飾ったり動かしたりすることができるようにする。【選択図】  図１
0003230666.tif 000002
【実用新案登録請求の範囲】
【請求項１】
人型または動物型の本体を備え、
上記本体は、細棒の一端側が着脱可能に挿入されて当該細棒を保持する保持穴を備えた玩具。
【請求項２】
上記保持穴は、上記細棒の挿入口から挿入方向先方に向かって内径を縮径させた請求項１に記載の玩具。
【請求項３】
上記保持穴の周壁に、当該保持穴の軸方向に沿ったスリットが形成された請求項１または２に記載の玩具。
【請求項４】
上記本体の重心が、上記保持穴に挿入された上記細棒の軸線及びその延長線の外に位置する請求項１〜３のいずれか１項に記載の玩具。
【請求項５】
上記細棒を歳差運動可能にして、当該細棒の他端を支持する支持台を備えた請求項１〜４のいずれか１項に記載の玩具。
【考案の詳細な説明】
【技術分野】
【０００１】
本考案は、飾って楽しむ玩具に関する。
【背景技術】
【０００２】
従来から、例えば、カプセルに収用された状態で販売されたり、おまけとして提供されたりするような、小さい人型や動物型の玩具があった。
【考案の概要】
【考案が解決しようとする課題】
【０００３】
上記のような玩具は、指先でつまめる程度の大きさで、そのまま机の上などに置いても、人や動物の表情などが目立たず、玩具の魅力が十分に伝わらない場合があった。
【０００４】
この考案の目的は、小さくても、飾ったときに動きや様々な表情を見せるようにして、十分に魅力を発揮できる玩具を提供することである。
【課題を解決するための手段】
【０００５】
第１の考案は、人型または動物型の本体を備え、上記本体は、細棒の一端側が着脱可能に挿入されて当該細棒を保持する保持穴を備えている。
【０００６】
第２の発明は、上記保持穴は、上記細棒の挿入口から挿入方向先方に向かって内径を縮径させている。
【０００７】
第３の発明は、上記保持穴の周壁に、当該保持穴の軸方向に沿ったスリットが形成されている。
【０００８】
第４の発明は、上記本体の重心が、上記保持穴に挿入された上記細棒の軸線及びその延長線の外に位置する。
【０００９】
第５の発明は、上記細棒を歳差運動可能にして、当該細棒の他端を支持する支持台を備えている。
【考案の効果】
【００１０】
この考案の玩具は、細棒の一端側を本体の保持穴に挿入して保持させることによって、細棒を持って動かすことができ、本体をそのまま載置する場合と違って、動きを持たせて遊ぶことができる。また、遊んだり飾ったりする際に、本体が様々な表情をしているように見せることもできる。
【００１１】
また、細棒の他端を尖らせれば、お子様ランチの旗のように食品に立てて飾ることもできる。
【００１２】
第２の考案によれば、保持穴の内径が先方に向かって縮径しているので、細棒の先端側の外径によって保持穴への挿入量が変わり、先端側の外径に多少の差がある細棒でも、保持穴にぴったりとはまるまで押し込むことによって確実に保持することができる。
【００１３】
第３の考案によれば、細棒の先端側の外径によって保持穴のスリットの開き量が変わるので、外径の異なる細棒を保持穴に挿入でき、いずれの細棒も同様にしっかりと保持することができる。
【００１４】
また、保持穴に挿入した細棒の先端側が折れてしまったとき、スリットから保持穴内に針などを挿入して保持穴に残ってしまった破片を簡単に取り出すことができる。
【００１５】
第４の考案によれば、細棒を保持した本体が、細棒の延長線から外方へ飛び出して、人型や動物型の本体が動きだしそうな雰囲気を醸し出すことができる。
【００１６】
第５の考案によれば、本体に細棒を保持させた状態で、細棒を好みの角度にして飾ることができる。また、支持台に細棒を支持させた状態で本体を揺らしたり、本体の重量と細棒の角度でバランスを取ったりして遊ぶことができる。
【図面の簡単な説明】
【００１７】
【図１】図１は、第１実施形態の本体の外観斜視図である。
【図２】図２は、本体の底面図である。
【図３】図３は、支持台の部分断面図である。
【図４】図４は、第１実施形態の玩具を支持台に飾った状態の正面図である。
【図５】図５は、第２実施形態の本体の斜視図である。
【図６】図６は、第３実施形態の保持部材の斜視図である。
【考案を実施するための形態】
【００１８】
［第１実施形態］
（構成）
図１〜４を用いて第１実施形態を説明する。図１は、本体Ａの外観斜視図で、図２は、本体Ａの底面図である。図３は、支持台の部分断面図である。図４は、第１実施形態の玩具を支持台に飾った状態を示した正面図である。
【００１９】
図１，２に示す玩具の本体Ａは、ポリ塩化ビニルやアクリル系樹脂などの樹脂の成型品である。この第１実施形態の本体Ａは、両手を広げた少年風の人形１と、この人形１の一方の手１ａで握られた竿部２と、この竿部２に取り付けられたように形成された旗部３とを備えている。旗部３は人形１の胴部を覆い、跳ねたような人形１の両脚１ｂ，１ｃを旗部３から覗かせている。人形１の両脚１ｂ，１ｃは、その足１ｄ，１ｅが後述する保持穴４に挿入された細棒５の外周面に当たっているように見える位置に形成されている。
【００２０】
竿部２の一端側は、筒状に形成され、図１において二点鎖線で示した細棒５の先端５ａ側を挿入保持するための保持穴４が形成されている。この保持穴４は、細棒５の挿入方向先方に向かって内径を縮径させている。また、保持穴４の周壁には軸方向に沿ったスリット４ａが形成されている。ここで、細棒５は、玩具が元々備えている樹脂製の細棒であったり、玩具の使用者が用意するつまようじや竹串のような細棒であったりする。
なお、竿部２の先端には星形の装飾部２ａが形成されている。
【００２１】
さらに、この第１実施形態では、上記本体Ａに保持させた細棒５の基端５ｂを支持する樹脂製の支持台６を備えている。この支持台６は外観が円板状の部材で、上面には支持部材７をはめ込む凹部６ａが形成されている。凹部６ａは、支持台６の上面で中心から外れた位置、本例では、支持台６の上面で外周縁近くに形成されている。
【００２２】
上記支持部材７は一端部に設けられた球体７ａと筒部７ｂとで構成され、筒部７ｂ内を支持穴７ｃとしている。ここで、一端部に、その端に向かって、筒部７ｂ、球体７ａの順序でこれらが設けられている。そして、筒部７ｂの外径は、球体７ａの外径よりも小さい。また、球体７ａの外径と凹部６ａの内径とはほぼ同じであり、筒部７ｂの外径は凹部６ａの内径よりも小さい。したがって、球体７ａを凹部６ａにはめ込んで筒部７ｂを押せば、筒部７ｂが凹部６ａの開口に衝突するまでの範囲で、図４に示した矢印のように支持部材７の歳差運動が可能になる。
さらに、上記球体７ａの外径を支持台６の凹部６ａの内径にほぼ一致する大きさにしたことで、筒部７ｂが任意の角度で保持されるようにしている。
【００２３】
（作用・効果等）
上記のような第１実施形態の本体Ａの飾り方を説明する。
まず、本体Ａの保持穴４に細棒５の先端５ａを押し込んで細棒５の先端５ａを本体Ａの保持穴４に保持させ、基端５ｂを、支持台６の支持部材７の支持穴７ｃに差し込むようにする（図３，４参照）。
このように、細棒５が支持台６で支持されると、先端５ａに取り付けられた本体Ａは宙に浮いたようになる。特に、本体Ａでは、人形１の手１ａを竿部２に沿わせ、足１ｄ，１ｅが細棒５に沿うようになるので、人形１が体全体を使って竿部２と細棒５とで構成された旗竿につかまっているように見え、本体Ａを単体で机の上などに置いた時とは違う面白さを出すことができる。
【００２４】
また、上記したように支持部材７を動かせば、本体Ａの旗部３を揺らして遊ぶこともできる。
さらに、保持穴４は、本体Ａの中心から偏った位置に設けられているので、図４に示すように、細棒５の先端５ａに本体Ａを取り付けたとき、本体Ａの重心が細棒５の軸線の延長線上の外に位置するようになる。そのため、支持台６に細棒５を支持させたとき、人形１が動きだしそうな雰囲気を出させたり、アンバランスな面白さを表現したりすることができる。
【００２５】
また、支持台６に細棒５を支持させた状態で本体Ａを揺らしたり、細棒５を好みの角度にして飾ったり、細棒５の角度を調整してバランスをとるようにして遊んだりすることもできる。例えば、支持台６に対する細棒５の姿勢（細棒５の向きや角度）によっては、玩具全体でバランスがとれなくなり、本体Ａ及び細棒５が支持台６とともに倒れてしまうこともあるため、支持台６に対する細棒５の姿勢を調整して倒れないようにする遊びもできる。
【００２６】
また、細棒５の基端５ｂ（例えば、尖った基端５ｂ）を支持穴７ｃに挿入せずに、お子様ランチの旗のように、食品に刺して飾ることもできる。また、細棒５を、使用者が用意したつまようじや竹串に換えて、お子様ランチの旗のように、食品に刺して飾ることもできる。
【００２７】
なお、上記保持穴４を先端に向かって縮径させているので、挿入される細棒５の外径の寸法差を吸収して確実に保持穴４は細棒５を保持することができる。よって、使用者が細棒５を本来玩具の部品として用意されていないつまようじや竹串に換えたときでも、確実に保持穴４はつまようじや竹串を保持できる。
また、保持穴４に軸方向のスリット４ａが形成されているため、細棒５を押し込んだ時このスリット４ａの開き量によって外径の異なる細棒もしっかりと保持することができる。
【００２８】
また、保持穴４に挿入した細棒５の先端５ａ側が折れてしまったとき、スリット４ａから保持穴４内に針などを挿入して保持穴４内に残ってしまった破片を簡単に取り出すこともできる。
ただし、保持穴４の縮径する形状や、スリット４ａは必須の構成要素ではない。
また、上記保持穴４は細棒５の挿入方向先端に底を有する穴であるが、細棒５を保持させる保持穴４は貫通孔であっても良い。
さらに、上記細棒５と上記支持部材７とを別体とせず、細棒５の基端側に球体７ａを形成してもよい。
【００２９】
［第２実施形態］
（構成）
図５を用いて第２実施形態を説明する。図５は、第２実施形態の本体Ｂの斜視図である。
本体Ｂは、アクリルなどの透明樹脂で形成されたプレート本体８と、同じく樹脂製の保持部材９とからなる。プレート本体８には、両腕を広げた人形８ａの絵が描かれている。そして、人形８ａの一方の腕の先には、プレート本体８の厚みを貫通孔した貫通孔８ｂが形成されている。この貫通孔８ｂは、人形８ａの上下方向に延びる長方形の開口を備えている。
また、人形８ａの頭上にはプレート本体８の厚み方向を貫通する取付孔８ｃが形成されている。
【００３０】
一方、保持部材９は、内部に細棒５（図４参照）を挿入保持可能な保持穴９ａが形成された筒部９ｂと、筒部９ｂの軸方向に沿って外周に形成された直方体の取り付け凸部９ｃとを備えている。この取り付け凸部９ｃはプレート本体８に形成された貫通孔８ｂに一致する形状である。この取り付け凸部９ｃを貫通孔８ｂにはめ込んで保持部材９をプレート本体８に取り付けることで、第２実施形態の本体Ｂが構成される。この保持部材９は、プレート本体８に対して着脱可能にしているが、プレート本体８に一旦取り付けられてプレート本体８から取り外せないようにしてもよいし、予めプレート本体８と一体的に成型してもよい。
なお、筒部９ｂの先端には装飾部９ｄが設けられている。
【００３１】
（作用・効果等）
第２実施形態の本体Ｂも、保持部材９の保持穴９ａに細棒５を挿入保持させることによって、本体Ｂを細棒５の先端に取り付けて遊んだり飾ったりすることができる。細棒５の基端５ｂを図３に示す第１実施形態の支持台６の支持部材７に支持させれば、人形８ａが細棒５につかまって宙に浮いているように見せることができる。
【００３２】
特に、プレート本体８に描かれた人形の手を保持部材９の取り付け位置に対応させていれば、人形８ａが細棒５につかまった雰囲気をよりリアルに出すことができる。
【００３３】
この第２実施形態においても、プレート本体８の一方の端に保持部材９を設けているので、細棒５の先端５ａに本体Ｂを取り付けたとき、本体Ｂの重心が細棒５の軸線の延長線上の外に位置するようになる。そのため、支持台６に支持させたとき、アンバランスな面白さを表現することができる。また、細棒５の角度を調整してバランスをとるようにして遊ぶこともできる（図４参照）。例えば、支持台６に対する細棒５の姿勢（細棒５の向きや角度）によっては、玩具全体でバランスがとれなくなり、本体Ｂ及び細棒５が支持台６とともに倒れてしまうこともあるため、支持台６に対する細棒５の姿勢を調整して倒れないようにする遊びもできる。
【００３４】
また、細棒５の基端５ｂ（例えば、尖った基端５ｂ）を支持穴７ｃに挿入せずに、お子様ランチの旗のように、食品に刺して飾ることもできる。また、細棒５を使用者が用意したつまようじや竹串に換えて、お子様ランチの旗のように、食品に刺して飾ることもできる。
さらに、上記取付孔８ｃにストラップやボールチェーンなどを取り付けて、プレート本体８をバッグや小物などに連結して飾ることもできる。この際、保持部材９が取り外すことができれば、プレート本体８の表面に突出部がなくなり、バッグなどに取り付けたとき、保持部材９が他の物に引っかかってしまうような心配もなくなる。
【００３５】
また、上記保持部材９の保持穴９ａも、細棒５の挿入方向先方に向かって縮径する内壁や、保持穴９ａの周壁に軸方向に延びるスリットを形成してもよい。そのようにすることで、外径の異なる細棒に対応することができる。よって、使用者が細棒５を本来玩具の部品として用意されていないつまようじや竹串に換えたときでも、確実に保持穴９ａはつまようじや竹串を保持できる。
なお、保持部材９の筒部９ｂの先端の内部先端を開放して、保持穴９ａを軸方向に貫通させても良い。
また、この第２実施形態においても、上記細棒５と支持部材７とを一体的に形成しても良い。
【００３６】
［第３実施形態］
（構成）
第３実施形態の保持部材１０を説明する。図６は第３実施形態の保持部材の斜視図である。
この第３実施形態は、保持部材１０が上記保持部材９と異なるが、その他の構成は図５に示した第２実施形態と同じである。保持部材１０がプレート本体８と一体となって本体Ｂを構成する。
【００３７】
図６に示す保持部材１０は、上記第２実施形態と同様に、樹脂製の部材であって、断面が略コの字状の保持部１０ａと、直方体の取り付け凸部１０ｂとからなる。保持部１０ａには、保持穴となる保持凹部１０ｃが形成され、この保持凹部１０ｃで細棒５を挟み持つことができるようにしている。
また、取り付け凸部１０ｂは、保持部１０ａの背面、すなわち、保持部１０ａにおいて保持凹部１０ｃが形成されている側とは反対側の面に形成されている。取り付け凸部１０ｂは、図５に示すようなプレート本体８の貫通孔８ｂなどにはめ込んでプレート本体８と一体化される。
【００３８】
（作用・効果等）
上記のような第３実施形態においても、細棒５を本体Ｂに保持させて、上記第１，２実施形態と同様に飾ったり遊んだりすることができる。
なお、この第３実施形態のように、保持凹部１０ｃで細棒５を保持するようにした場合、保持凹部１０ｃから細棒５の最先端を突出させて挟む位置を調整しても良い。これにより、本体Ｂの人形８ａが細棒５につかまっている位置を変えることができる。
【００３９】
また、上記第１，２実施形態のような筒状の保持穴も、それを貫通孔として細棒５を貫通させるようにすれば、細棒５に対する本体Ａ，Ｂの位置を変更して、全体のバランスを変えて遊ぶこともできる。
なお、上記本体Ａ，Ｂ、保持部材９，１０、支持台６のいずれも、材質は限定されない。ただし、型成形可能な樹脂が好ましい。
また、本体Ａ，Ｂに表す人形や動物の表情や形状もどのようなものでもよい。
【産業上の利用可能性】
【００４０】
単純な玩具に、様々な面白さを負荷することができる。
【符号の説明】
【００４１】
Ａ，Ｂ    本体
１，８ａ    人形
４，９ａ    保持穴
４ａ    スリット
５    細棒
５ａ    先端
５ｂ    基端
６    支持台
８ａ    人形
９，１０保持部材
９ａ    保持穴
１０ｃ    （保持穴）保持凹部
【図１】
0003230666.tif 000003
【図２】
0003230666.tif 000004
【図３】
0003230666.tif 000005
【図４】
0003230666.tif 000006
【図５】
0003230666.tif 000007
【図６】
0003230666.tif 000008